(57)【要約】【課題】  複数の摩擦材及び複数の摩擦材押圧手段を有するディスクブレーキ装置において、複数の摩擦材押圧手段により複数の摩擦材に対して適切な制御を行うことができるディスクブレーキ装置を提供することを課題とする。【解決手段】  ディスクブレーキ装置１であって、ディスクロータの少なくとも一面側に位置する複数の異なる摩擦材と当該複数の摩擦材を押圧する複数の摩擦材押圧手段（ピストン）６ａ〜６ｉを有するキャリパと、摩擦材の温度を検出する温度検出手段（温度センサ）５と、目標制動力を発生するように、温度検出手段５で検出した摩擦材の温度に基づいて複数の摩擦材の各押圧力を設定する押圧力設定手段３とを備えることを特徴とする。【選択図】  図１
2005319913.tif 000002
【特許請求の範囲】
【請求項１】
ディスクロータの少なくとも一面側に位置する複数の異なる摩擦材と当該複数の摩擦材を押圧する複数の摩擦材押圧手段を有するキャリパと、
前記摩擦材の温度を検出する温度検出手段と、
目標制動力を発生するように、前記温度検出手段で検出した摩擦材の温度に基づいて前記複数の摩擦材の各押圧力を設定する押圧力設定手段と
を備えることを特徴とするディスクブレーキ装置。
【請求項２】
車速を検出する車速検出手段を備え、
前記押圧力設定手段は、前記温度検出手段で検出した摩擦材の温度及び前記車速検出手段で検出した車速に基づいて、前記複数の摩擦材の各押圧力をブレーキ鳴きが発生する可能性の低い押圧力に設定することを特徴とする請求項１に記載するディスクブレーキ装置。
【請求項３】
前記摩擦材に対する押圧力を検出する押圧力検出手段を備え、
前記押圧力設定手段は、前記押圧力検出手段で検出した摩擦材に対する押圧力が鳴き発生押圧力範囲内かつ前記温度検出手段で検出した摩擦材の温度が鳴き発生温度範囲内かつ前記車速検出手段で検出した車速が鳴き発生車速範囲内の場合、ブレーキ鳴きが発生する可能性が高いと判定し、前記複数の摩擦材の各押圧力を規定範囲外の押圧力に設定することを特徴とする請求項２に記載するディスクブレーキ装置。
【請求項４】
前記押圧力設定手段は、ブレーキ鳴きが発生する可能性が高いと判定した摩擦材の押圧力を減少させ、当該押圧力を減少させる摩擦材以外の摩擦材の押圧力を減少させた押圧力分増加させることを特徴とする請求項３に記載するディスクブレーキ装置。
【請求項５】
前記押圧力設定手段は、前記温度検出手段で検出した摩擦材の温度に基づいて、摩擦係数が低下する温度になった摩擦材の押圧力を減少させ、当該押圧力を減少させる摩擦材以外の摩擦材の押圧力を増加させることを特徴とする請求項１に記載するディスクブレーキ装置。
【請求項６】
前記押圧力設定手段は、前記押圧力を増加させた摩擦材が摩擦係数が低下する温度になった場合、当該押圧力を増加させた摩擦材の押圧力を減少させ、前記押圧力を減少させた摩擦材の押圧力を増加させることを特徴とする請求項５に記載するディスクブレーキ装置。
【請求項７】
前記押圧力設定手段は、前記温度検出手段で検出した摩擦材の温度に基づいて、摩耗量が多くなる温度になった摩擦材の押圧力を減少させ、当該押圧力を減少させる摩擦材以外の摩擦材の押圧力を増加させることを特徴とする請求項１に記載するディスクブレーキ装置。
【請求項８】
前記押圧力設定手段は、複数の摩擦材が摩耗量が多くなる温度となった場合、摩耗量の少ない摩擦材よりも摩耗量の多い摩擦材の押圧力を減少させることを特徴とする請求項７に記載するディスクブレーキ装置。
【発明の詳細な説明】
【技術分野】
【０００１】
本発明は、複数の異なる摩擦材を有するディスクブレーキ装置に関する。
【背景技術】
【０００２】
ディスクブレーキ装置は、車輪と共に回転するディスクロータを左右両側からブレーキパッドで挟み、ピストンの作動によって２つのブレーキパッドをディスクロータに接触させることによって、制動力を発生させる。ディスクブレーキ装置には、ブレーキ性能を向上させるために、特性の異なる複数の摩擦材を有するブレーキパッドを備えるものがある。そのため、ディスクブレーキ装置には、複数の摩擦材をそれぞれ押圧するために、各摩擦材に対応させて複数のピストンが必要となる。複数の摩擦材及び複数のピストンを備えるディスクブレーキ装置には、例えば、ブレーキパッドに摩擦係数の異なる２つの摩擦材が配設され、低い摩擦係数の摩擦材を第１ピストンで押圧し、高い摩擦係数の摩擦材を第２ピストンで押圧するものがある（特許文献１参照）。このディスクブレーキ装置では、ブレーキペダルの操作に応じたマスタシリンダからの油圧が低い場合には第１ピストンによる軸力を小さくして高い摩擦係数の摩擦材によるディスクロータへの押圧力を弱め、ブレーキ鳴きを低減させている。また、ディスクブレーキ装置では、マスタシリンダからの油圧が高くなると第１ピストンによる軸力を大きくして高い摩擦係数の摩擦材によるディスクロータへの押圧力を強め、大きな制動力を発生させている。
【特許文献１】実開昭６０−７１７３８号公報
【発明の開示】
【発明が解決しようとする課題】
【０００３】
しかしながら、従来のディスクブレーキ装置では、ブレーキ鳴きを低減するために、高い摩擦係数の摩擦材よる押圧力を弱めると、制動力が低下してしまう。つまり、従来のディスクブレーキ装置では、制動力を低下させることなく、ブレーキ鳴きを低減することができない。このように、従来のディスクブレーキ装置では、複数のピストンにより複数の摩擦材に対して適切な制御ができないので、ブレーキペダルの操作に応じた制動力を発生させながらブレーキ鳴き等のブレーキ性能の向上を図ることができなかった。
【０００４】
そこで、本発明は、複数の摩擦材及び複数の摩擦材押圧手段を有するディスクブレーキ装置において、複数の摩擦材押圧手段により複数の摩擦材に対して適切な制御を行うことができるディスクブレーキ装置を提供することを課題とする。
【課題を解決するための手段】
【０００５】
本発明に係るディスクブレーキ装置は、ディスクロータの少なくとも一面側に位置する複数の異なる摩擦材と当該複数の摩擦材を押圧する複数の摩擦材押圧手段を有するキャリパと、摩擦材の温度を検出する温度検出手段と、目標制動力を発生するように、温度検出手段で検出した摩擦材の温度に基づいて複数の摩擦材の各押圧力を設定する押圧力設定手段とを備えることを特徴とする。
【０００６】
このディスクブレーキ装置は、キャリパにディスクロータの左右両側から挟み込む摩擦材が取り付けられ、両側の少なくとも一方側に複数の摩擦材及び複数の摩擦材押圧手段を有する構成となっている。複数の摩擦材は、それぞれ異なる特性を有しており、温度に応じて状態（摩擦係数等）がそれぞれ変化する。また、ディスクブレーキ装置は、温度検出手段を備えており、この温度検出手段により摩擦材の温度を検出する。ディスクブレーキ装置では、押圧力設定手段により、複数の摩擦材によって発生する合計した制動力が目標制動力となるように、摩擦材の温度に基づいて各摩擦材に対して押圧力をそれぞれ設定する。そして、ディスクブレーキ装置では、複数の摩擦材押圧手段により複数の摩擦材に対してそれぞれ設定した各押圧力を出力させ、各摩擦材が個別の押圧力でディスクロータをそれぞれ押圧する。このように、ディスクブレーキ装置では、温度によって変化する摩擦材の状態に適した押圧力を摩擦材毎に発生させることができるので、目標制動力を発生させることができるとともにブレーキ性能も向上させることができる。
【０００７】
なお、目標制動力は、ディスクブレーキ装置で発生させる目標となる制動力であり、例えば、運転者のブレーキペダルに対する操作量に応じた油圧、ＡＢＳ[Anti-Lock Brake System]等のブレーキを車両で制御する制御装置からの制動力信号である。
【０００８】
本発明の上記ディスクブレーキ装置では、車速を検出する車速検出手段を備え、押圧力設定手段は、温度検出手段で検出した摩擦材の温度及び車速検出手段で検出した車速に基づいて、複数の摩擦材の各押圧力をブレーキ鳴きが発生する可能性の低い押圧力に設定する構成としてもよい。
【０００９】
このディスクブレーキ装置は、車速検出手段を備えており、この車速検出手段により車速を検出する。複数の摩擦材は、摩擦材の押圧力、摩擦材の温度、車速に応じたブレーキ鳴きの発生条件をそれぞれ有しており、ブレーキ鳴きが発生する可能性が高くなる押圧力、温度、車速の条件がある。そこで、ディスクブレーキ装置では、押圧力設定手段により、複数の摩擦材によって発生する合計した制動力が目標制動力となるように、摩擦材毎のブレーキ鳴きの発生条件を考慮し、各摩擦材の温度及び車速に基づいて各摩擦材に対してブレーキ鳴きが発生する可能性の低い押圧力をそれぞれ設定する。そして、ディスクブレーキ装置では、複数の摩擦材押圧手段により複数の摩擦材に対してそれぞれ設定した各押圧力を出力させ、押圧力を変化させることによってブレーキ鳴きの発生条件から外れるようにする。このように、ディスクブレーキ装置では、目標制動力を発生させることができるとともに、ブレーキ鳴きも低減できる。
【００１０】
本発明の上記ディスクブレーキ装置では、前記摩擦材に対する押圧力を検出する押圧力検出手段を備え、押圧力設定手段は、押圧力検出手段で検出した摩擦材に対する押圧力が鳴き発生押圧力範囲内かつ温度検出手段で検出した摩擦材の温度が鳴き発生温度範囲内かつ車速検出手段で検出した車速が鳴き発生車速範囲内の場合、ブレーキ鳴きが発生する可能性が高いと判定し、複数の摩擦材の各押圧力を規定範囲外の押圧力に設定する構成としてもよい。
【００１１】
このディスクブレーキ装置では、更に押圧力検出手段を備えており、この押圧力検出手段により各摩擦材の押圧力を検出する。上記したように、複数の摩擦材は、摩擦材の押圧力、摩擦材の温度、車速に応じたブレーキ鳴きの発生条件をそれぞれ有しており、ブレーキ鳴きが発生する可能性が高くなる押圧力、温度、車速の鳴き発生範囲をそれぞれ有している。そこで、ディスクブレーキ装置では、押圧力設定手段により、摩擦材の押圧力、摩擦材の温度及び車速が各鳴き発生範囲内か否かをそれぞれ判定し、全てが鳴き発生範囲内の場合にはブレーキ鳴きが発生する可能性が高いと判定する。そして、ディスクブレーキ装置では、複数の摩擦材によって発生する合計した制動力が目標制動力となるように、各摩擦材に対して通常設定する規定範囲外の押圧力（すなわち、ブレーキ鳴きが発生する可能性の低い押圧力であり、基準となる押圧力を増減させた押圧力である）をそれぞれ設定する。そして、ディスクブレーキ装置では、複数の摩擦材押圧手段により複数の摩擦材に対してそれぞれ設定した各押圧力を出力させ、押圧力を変化させることによって鳴きの発生押圧力範囲から外れるようにする。その結果、ブレーキ鳴きが低減する。
【００１２】
本発明の上記ディスクブレーキ装置では、押圧力設定手段は、ブレーキ鳴きが発生する可能性が高いと判定した摩擦材の押圧力を減少させ、当該押圧力を減少させる摩擦材以外の摩擦材の押圧力を減少させた押圧力分増加させる構成にすると好適である。
【００１３】
このディスクブレーキ装置では、複数の摩擦材のうちのある摩擦材をブレーキ鳴きが発生する可能性が高いと判定すると、その判定した摩擦材に対して基準より減少させた押圧力を設定し、それ以外の摩擦材に対して減少分を増加させた押圧力を設定する。そして、ディスクブレーキ装置では、複数の摩擦材押圧手段により複数の摩擦材に対してそれぞれ設定した各押圧力を出力させ、全ての摩擦材の合計押圧力としては変化させない。そのため、ディスクブレーキ装置全体として要求されている目標制動力を出力させることができる。
【００１４】
本発明の上記ディスクブレーキ装置では、押圧力設定手段は、温度検出手段で検出した摩擦材の温度に基づいて、摩擦係数が低下する温度になった摩擦材の押圧力を減少させ、当該押圧力を減少させる摩擦材以外の摩擦材の押圧力を増加させる構成としてもよい。
【００１５】
このディスクブレーキ装置では、押圧力設定手段により、複数の摩擦材によって発生する合計した制動力が目標制動力となるように、各摩擦材の温度に基づいて摩擦係数が低下する温度になった摩擦材に対しては基準より減少させた押圧力を設定し、それ以外の摩擦材に対しては減少させた分を補うために基準より増加させた押圧力を設定する。そして、ディスクブレーキ装置では、複数の摩擦材押圧手段により複数の摩擦材に対してそれぞれ設定した各押圧力を出力させ、複数の摩擦材のうち摩擦係数が低下する摩擦材の使用を制限し、それ以外の摩擦材を主に使用する。このように、ディスクブレーキ装置では、温度に応じて摩擦係数が低下することによるフェード現象を抑えるとともに、十分な制動力を発生させることもできる。
【００１６】
本発明の上記ディスクブレーキ装置では、押圧力設定手段は、押圧力を増加させた摩擦材が摩擦係数が低下する温度になった場合、当該押圧力を増加させた摩擦材の押圧力を減少させ、押圧力を減少させた摩擦材の押圧力を増加させる構成としてもよい。
【００１７】
摩擦係数が低下する温度になった摩擦材の押圧力を減少させるとともにそれ以外の摩擦材の押圧力を増加させた後、このディスクブレーキ装置では、押圧力設定手段により、その押圧力を増加させた摩擦材が摩擦係数が低下する温度になった場合、複数の摩擦材によって発生する合計した制動力が目標制動力となるように、その押圧力を増加させた摩擦材に対しては基準より減少させた押圧力を設定し、押圧力を減少させた摩擦材に対しては減少させた分を補うために基準より増加させた押圧力を設定する。そして、ディスクブレーキ装置では、複数の摩擦材押圧手段により複数の摩擦材に対してそれぞれ設定した各押圧力を出力させ、複数の摩擦材のうち摩擦係数が低下する摩擦材の使用を制限し、それ以外の摩擦材を主に使用する。この場合、フェードとなる温度に達した摩擦材は、押圧力を低減させることにより温度が低下し、摩擦係数が低下しない温度となっている。そのため、押圧力を増加させた摩擦材がフェードとなる温度に達した場合でも、その摩擦材の押圧力を減少させ、摩擦係数が低下しない温度になっている摩擦材によって目標制動力を発生させることができる。
【００１８】
本発明の上記ディスクブレーキ装置では、押圧力設定手段は、温度検出手段で検出した摩擦材の温度に基づいて、摩耗量が多くなる温度になった摩擦材の押圧力を減少させ、当該押圧力を減少させる摩擦材以外の摩擦材の押圧力を増加させる構成としてもよい。
【００１９】
このディスクブレーキ装置では、押圧力設定手段により、複数の摩擦材によって発生する合計した制動力が目標制動力となるように、各摩擦材の温度に基づいて摩耗量が多くなる温度になった摩擦材に対しては基準より減少させた押圧力を設定し、それ以外の摩擦材に対しては減少させた分を補うために基準より増加させた押圧力を設定する。そして、ディスクブレーキ装置では、複数の摩擦材押圧手段により複数の摩擦材に対してそれぞれ設定した各押圧力を出力させ、複数の摩擦材のうち摩耗量が多くなる摩擦材の使用を制限し、それ以外の摩擦材を主に使用する。このように、ディスクブレーキ装置では、温度に応じて摩耗量が増加するのを抑え、摩擦材の寿命を延ばすとともに、十分な制動力も発生させることもできる。
【００２０】
本発明の上記ディスクブレーキ装置では、複数の摩擦材が摩耗量が多くなる温度となった場合、摩耗量の少ない摩擦材よりも摩耗量の多い摩擦材の押圧力を減少させる構成としてもよい。
【００２１】
このディスクブレーキ装置では、複数の摩擦材が摩耗量が多くなる温度となった場合、押圧力設定手段により、摩耗量が多い摩擦材に対しては摩耗量の少ない摩耗材より減少させた押圧力を設定する。そして、ディスクブレーキ装置では、複数の摩擦材押圧手段により複数の摩擦材に対してそれぞれ設定した各押圧力を出力させ、摩耗量の多い摩擦材ほど使用を制限する。このように、ディスクブレーキ装置では、摩耗し易い摩耗材ほど摩耗量を低減でき、摩擦材全体の寿命を延ばすことができる。
【発明の効果】
【００２２】
本発明によれば、複数の摩擦材及び複数の摩擦材押圧手段を有するディスクブレーキ装置において、複数の摩擦材押圧手段により複数の摩擦材に対して適切な制御を行うことができる。
【発明を実施するための最良の形態】
【００２３】
以下、図面を参照して、本発明に係るディスクブレーキ装置の実施の形態を説明する。
【００２４】
本実施の形態では、本発明に係るディスクブレーキ装置を、自動車に搭載されるディスクブレーキ装置に適用する。本実施の形態に係るディスクブレーキ装置は、各キャリパに特性の異なる２つの摩擦材及び９つのピストンを備え、各摩擦材を個別の押圧力とするために、各ピストンに対して目標軸力（目標ピストン変位）をそれぞれ設定する。特に、本実施の形態に係るディスクブレーキ装置では、ブレーキ鳴きの低減、ブレーキ効きの安定化及び摩擦材の摩耗量抑制を目的として各ピストンの目標軸力を設定する。
【００２５】
図１〜図３を参照して、ディスクブレーキ装置１の全体構成について説明する。図１は、本実施の形態に係るディスクブレーキ装置の制御部分の構成図である。図２は、本実施の形態に係るディスクブレーキ装置のピストン及びブレーキパッドの構成の一例を示す図であり、（ａ）が側面図であり、（ｂ）が正面図である。図３は、本実施の形態に係るディスクブレーキ装置のピストン及びブレーキパッドの構成の他の例を示す図であり、（ａ）が側面図であり、（ｂ）が正面図である。
【００２６】
ディスクブレーキ装置１は、ドライバによるブレーキペダルに対する操作に応じて制動力を発生させる装置である。ディスクブレーキ装置１では、ブレーキ性能を向上させるために、特性の異なる２つの摩擦材を用いている。そのため、ディスクブレーキ装置１では、２つの摩擦材をそれぞれ均一に押圧するために、各キャリパに９つのピストンを備えている。特に、ディスクブレーキ装置１では、ブレーキ鳴きの低減、ブレーキ効きの安定化及び摩擦材の摩耗量抑制等のブレーキ性能を高次元にトータルに実現させるために、その各輪に設けられた９つのピストンを個別に制御する。そのために、ディスクブレーキ装置１は、主なものとして、ディスクロータ（図示せず）、キャリパ２、ブレーキ性能制御装置３、車速センサ４、温度センサ５、第１〜第９軸力センサ６ａ〜６ｉ、第１〜第９変位センサ７ａ〜７ｉを備えている。
【００２７】
なお、本実施の形態では、ブレーキ性能制御装置３が特許請求の範囲に記載する押圧力設定手段に相当し、車速センサ４が特許請求の範囲に記載する車速検出手段に相当し、温度センサ５が特許請求の範囲に記載する温度検出手段に相当し、第１〜第９軸力センサ６ａ〜６ｉが特許請求の範囲に記載する押圧力検出手段に相当する。
【００２８】
ディスクブレーキ装置１には、各車輪に平行してディスクロータがそれぞれ配設され、各ディスクロータに対してキャリパ２がそれぞれ設けられる。キャリパ２には、ディスクロータの両側にブレーキパッド２０が配設されている。車両のインナ側のブレーキパッド２０のディスクロータ側とは反対側に、９つのピストン２２ａ〜２２ｉが設けられている。さらに、キャリパ２には、ブレーキ性能制御装置３からの第１〜第９制御信号に応じて第１〜第９ピストン２２ａ〜２２ｉを作動させるために、第１〜第９アクチュエータ２３ａ〜２３ｉが設けられている。キャリパ２では、各ピストン２２ａ〜２２ｉによりインナ側のブレーキパッド２０を押圧し、そのインナ側のブレーキパッド２０によりディスクロータを押圧する。さらに、キャリパ２は、ディスクロータからの反力を受けてインナ側に移動し、アウタ側のブレーキパッド２０でもディスクロータを押圧する。
【００２９】
ブレーキパッド２０は、第１摩擦材２０ａと第２摩擦材２０ｂ及び裏金２０ｃからなり、摩擦材２０ａ，２０ｂがディスクロータ側に配置され、摩擦材２０ａ，２０ｂの裏面に裏金２０ｃが取り付けられている。第１摩擦材２０ａは、高い摩擦係数を有する摩擦材である。第２摩擦材２０ｂは、第１摩擦材２０ａよりも低い摩擦係数を有する摩擦材である。第１摩擦材２０ａと第２摩擦材２０ｂの配置及び形状としては、例えば、図２に示すようなパターンと図３に示すようなパターンがある。図２に示すパターンでは、第１摩擦材２０ａと第２摩擦材２０ｂは、ディスクロータの回転方向に沿って長い長方形状であり、ディスクロータの回転方向の長さが同じであり、ディスクロータの半径方向の長さが異なる。第１摩擦材２０ａは、ディスクロータの外周側に配置され、ディスクロータの半径方向の長さが摩擦材全体の略３分の１である。第２摩擦材２０ｂは、ディスクロータの内周側に配置され、ディスクロータの半径方向の長さが摩擦材全体の略３分の２である。図３に示すパターンでは、第１摩擦材２０ａと第２摩擦材２０ｂは、ディスクロータの半径方向に沿って長い長方形状であり、同じ大きさである。第１摩擦材２０ａは、ディスクロータの回転方向の中央に１つだけ配置される。第２摩擦材２０ｂは、ディスクロータの回転方向の入口側と出口側にそれぞれ１つづつ配置される。以下の説明では、図２に示すパターンの配置及び形状とする。
【００３０】
各ピストン２２ａ〜２２ｉは、キャリパ２に設けられた９つのシリンダボア（図示せず）に摺動自在にそれぞれ設けられている。各ピストン２２ａ〜２２ｉは、ディスクロータの回転方向に沿って３列で配列されるとともに半径方向に沿って３列で配列される。第１〜第３ピストン２２ａ〜２２ｃは、ディスクロータの回転方向の出口側に配され、ディスクロータの内周側から第１ピストン２２ａ、第２ピストン２２ｂ、第３ピストン２２ｃの順に配されている。第４〜第６ピストン２２ｄ〜２２ｆは、ディスクロータの回転方向の中央に配され、ディスクロータの内周側から第４ピストン２２ｄ、第５ピストン２２ｅ、第６ピストン２２ｆの順に配されている。第７〜第９ピストン２２ｇ〜２２ｉは、ディスクロータの回転方向の入口側に配され、ディスクロータの内周側から第７ピストン２２ｇ、第８ピストン２２ｈ、第９ピストン２２ｉの順に配されている。したがって、第１摩擦材２０ａは第３ピストン２２ｃ、第６ピストン２２ｆ、第９ピストン２２ｉに押圧され、第２摩擦材２０ｂは第１ピストン２２ａ、第２ピストン２２ｂ、第４ピストン２２ｄ、第５ピストン２２ｅ、第７ピストン２２ｇ、第８ピストン２２ｈに押圧される（図２（ｂ）参照）。
【００３１】
各ピストン２２ａ〜２２ｉには、各軸力センサ６ａ〜６ｉと各変位センサ７ａ〜７ｉがそれぞれ取り付けられている。各軸力センサ６ａ〜６ｉでは、各ピストン２２ａ〜２２ｉの軸力をそれぞれ検出し、その検出値を第１〜第９軸力信号として各アクチュエータ２３ａ〜２３ｉにそれぞれ送信するとともにブレーキ性能制御装置３にも送信する。各変位センサ７ａ〜７ｉでは、各ピストン２２ａ〜２２ｉの変位量をそれぞれ検出し、その検出値を第１〜第９変位信号として各アクチュエータ２３ａ〜２３ｉにそれぞれ送信するとともにブレーキ性能制御装置３にも送信する。
【００３２】
車速センサ４は、各車輪にそれぞれ取り付けられる。車速センサ４では、車輪の回転速度を検出し、その検出値を車速信号としてブレーキ性能制御装置３に送信する。なお、ブレーキ性能制御装置３において各輪の回転速度に基づいて車速を演算するが、車速センサ４以外の他の車速センサを用いてもよい。温度センサ５は、各キャリパ２のブレーキパッド２０の第１摩擦材２０ａと第２摩擦材２０ｂにそれぞれ取り付けられる。温度センサ５では、各摩擦材２０ａ，２０ｂの温度を検出し、その検出値を温度信号としてブレーキ性能制御装置３に送信する。
【００３３】
図１、図２及び図４〜図６を参照して、ブレーキ性能制御装置３について説明する。図４は、図１の鳴き低減部で保持する鳴き発生マップの一例であり、（ａ）が第１摩擦材に対する鳴き発生マップであり、（ｂ）が第２摩擦材に対する鳴き発生マップである。図５は、図１の効き安定部で保持する摩擦係数マップの一例である。図６は、図１の摩耗抑制部で保持する摩耗特性マップの一例である。
【００３４】
ブレーキ性能制御装置３は、ＣＰＵ[Central Processing Unit]、ＲＯＭ[Read Only Memory]、ＲＡＭ[Random Access Memory]等からなる電子制御ユニットである。ブレーキ性能制御装置３では、各種センサ４，５，６ａ〜６ｉ，７ａ〜７ｉから検出信号を取り入れ、各種検出信号に基づいて第１摩擦材２０ａと第２摩擦材２０ｂ（ひいては、第１〜第９ピストン２２ａ〜２２ｉ）に対する目標軸力をそれぞれ設定し、各車輪に設けられたキャリパ２の第１〜第９ピストン２２ａ〜２２ｉにより摩擦材２０ａ，２０ｂを独立して制御する。ちなみに、第１摩擦材２０ａの目標軸力は第３ピストン２２ｃ、第６ピストン２２ｆ、第９ピストン２２ｉの目標軸力を合わせたものであり、第２摩擦材２０ｂの目標軸力は第１ピストン２２ａ、第２ピストン２２ｂ、第４ピストン２２ｄ、第５ピストン２２ｅ、第７ピストン２２ｇ、第８ピストン２２ｈの目標軸力を合わせたものである。特に、ブレーキ性能制御装置３では、ブレーキ鳴き、ブレーキ効き、磨耗の３つのブレーキ性能を高次元でトータルに成立させるために、目標軸力（目標ピストン変位）にこれらのブレーキ性能を向上させるための制御量を加味している。そのために、ブレーキ性能制御装置３には、基準目標軸力算出部３０、目標軸力算出部３１、目標ピストン変位算出部３２、鳴き低減部３３、効き安定部３４及び摩耗抑制部３５が構成される。
【００３５】
基準目標軸力算出部３０では、ドライバのブレーキペダルの操作量に応じた制御油圧を取り入れ、この制御油圧に基づいて各ピストン２２ａ〜２２ｉの基準目標軸力をそれぞれ算出する。基準目標軸力は、９つのピストン２２ａ〜２２ｉに対して同じ値が設定される。
【００３６】
目標軸力算出部３１では、基準目標軸力に対して目標軸力を変化させるピストンの目標軸力変化量を鳴き低減部３３、効き安定部３４及び摩耗抑制部３５からそれぞれ取り入れる。鳴き低減部３３、効き安定部３４及び摩耗抑制部３５では、以下に示す式（１）の条件を満たすように目標軸力変化量をそれぞれ設定する。そして、目標軸力算出部３１では、ピストン２２ａ〜２２ｉ毎に、目標軸力変化量が設定されているピストンに対しては基準目標軸力にその目標軸力変化量を加味して目標軸力を算出し、目標軸力変化量が０のピストンに対しては基準目標軸力をそのまま目標軸力とする。目標軸力は、車輪毎に、９つのピストン２２ａ〜２２ｉに対して個別の値がそれぞれ設定される。したがって、目標軸力としては、３６個の値が設定される。
【００３７】
【数１】
2005319913.tif 000003
μｉは、第１摩擦材２０ａ又は第２摩擦材２０ｂの摩擦係数である。Ｆｉは、各ピストン２２ａ〜２２ｉの軸力である。Ｒｉは、ディスクロータの中心から各ピストンの中心までの長さ（半径）である。
【００３８】
目標ピストン変位算出部３２では、ピストン２２ａ〜２２ｉ毎に、目標軸力算出部３１で算出した目標軸力に基づいて目標ピストン変位を算出する。そして、目標ピストン変位算出部３２では、車輪毎に、各ピストン２２ａ〜２２ｉの目標ピストン変位を第１〜第９制御信号として各アクチュエータ２３ａ〜２３ｉにそれぞれ送信する。ピストン変位は、目標軸力に対応して３６個の値が設定される。
【００３９】
鳴き低減部３３では、車速センサ４からの車速信号により車速を取り入れる。また、鳴き低減部３３では、各温度センサ５からの温度信号により各摩擦材２０ａ，２０ｂの温度を取り入れる。さらに、鳴き低減部３３では、各軸力センサ６ａ〜６ｉからの軸力信号により各ピストン２２ａ〜２２ｉの軸力を取り入れ、各摩擦材２０ａ，２０ｂに対する軸力をそれぞれ算出する。第１摩擦材２０ａに対する軸力は第３ピストン２２ｃ、第６ピストン２２ｆ、第９ピストン２２ｉの各軸力を積算した合計軸力であり、第２摩擦材２０ｂに対する軸力は第１ピストン２２ａ、第２ピストン２２ｂ、第４ピストン２２ｄ、第５ピストン２２ｅ、第７ピストン２２ｇ、第８ピストン２２ｈの各軸力を積算した合計軸力である。
【００４０】
鳴き低減部３３では、第１摩擦材２０ａに対する鳴き発生マップＭＮ１及び第２摩擦材２０ｂに対する鳴き発生マップＭＮ２をＲＯＭに保持している（図４参照）。摩擦材毎に鳴きの発生する条件（温度、軸力、車速）が異なっており、鳴きが発生する温度、軸力、車速の条件が全て満たされると鳴きが発生し、１つでも条件から外れると鳴きが発生しないかあるいは鳴きが小さい。鳴き発生マップＭＮ１，ＭＮ２は、摩擦材２０ａ，２０ｂ毎に、鳴き発生条件をマップ化したものであり、実験やシミュレーション等によって予め設定したものである。図４に示す鳴き発生マップＭＮ１，ＭＮ２はその一例である。
【００４１】
鳴き発生マップＭＮ１は、第１摩擦材２０ａの鳴きが発生する鳴き発生車速（例えば、２０ｋｍ／ｈ前後）に対して設定され、鳴き発生軸力範囲と鳴き発生温度範囲からなる鳴き発生領域が設定されている。鳴き発生マップＭＮ２は、第２摩擦材２０ｂの鳴きが発生する鳴き発生車速（例えば、６０ｋｍ／ｈ前後）に対して設定され、鳴き発生軸力範囲と鳴き発生温度範囲からなる鳴き発生領域が設定されている。鳴き発生マップＭＮ１，ＭＮ２には、図４に示すように、鳴き発生領域が３段階で設定されており、黒塗り領域が鳴きが発生する確率が最も高く、斜線領域がその次に確率が高く、白塗り領域が確率が最も低い。鳴き発生マップＭＮ１，ＭＮ２に対する条件判定ではこの３段階の領域のいずれの領域で判定してもよいが、鳴きを確実に低減するためには確率が最も低い白塗り領域で判定を行うとよい。なお、摩擦材は鳴きが発生する条件が１つの場合もあれば複数の場合もあり、複数の場合には１つの摩擦材に対して複数の鳴き発生マップがある。
【００４２】
鳴き低減部３３では、第１摩擦材２０ａに対する鳴き発生マップＭＮ１に基づいて、車速が鳴き発生車速範囲内か、第１摩擦材２０ａの合計軸力が鳴き発生軸力範囲内か、第１摩擦材の２０ａの温度が鳴き発生温度範囲内かをそれぞれ判定する（図４（ａ）参照）。鳴き低減部３３では、鳴き発生マップＭＮ１に対する３つの判定条件を全て満たす場合、第１摩擦材２０ａの軸力が鳴き発生マップＭＮ１の鳴き発生軸力範囲から外れるように、第１摩擦材２０ａの目標軸力変化量を算出する。この際、鳴き低減部３３では、第１摩擦材２０ａに対する軸力が０になるように目標軸力変化量を設定してもよいし、あるいは、第１摩擦材２０ａに対する軸力が基準より少なくなるように目標軸力変換量を設定してもよい。さらに、鳴き低減部３３では、式（１）の条件を満たすように、第２摩擦材２０ｂの目標軸力変化量を算出する。この際、鳴き低減部３３では、第１摩擦材２０ａに対する軸力を減らした分の軸力が増えるように、第２摩擦材２０ｂに対して目標軸力変化量を設定する。
【００４３】
さらに、鳴き低減部３３では、第２摩擦材２０ｂに対する鳴き発生マップＭＮ２に基づいて、車速が鳴き発生車速範囲内か、第２摩擦材２０ｂの合計軸力が鳴き発生軸力範囲内か、第２摩擦材の２０ｂの温度が鳴き発生温度範囲内かをそれぞれ判定する（図４（ｂ）参照）。鳴き低減部３３では、鳴き発生マップＭＮ２に対する３つの判定条件を全て満たす場合、第２摩擦材２０ｂの軸力が鳴き発生マップＭＮ２の鳴き発生軸力範囲から外れるように、第２摩擦材２０ｂの目標軸力変化量を算出する。この際、鳴き低減部３３では、第２摩擦材２０ｂに対する軸力が０になるように目標軸力変化量を設定してもよいし、あるいは、第２摩擦材２０ｂに対する軸力が基準より少なくなるように目標軸力変換量を設定してもよい。さらに、鳴き低減部３３では、式（１）の条件を満たすように、第１摩擦材２０ａの目標軸力変化量を算出する。この際、鳴き低減部３３では、第２摩擦材２０ｂに対する軸力を減らした分の軸力が増えるように、第１摩擦材２０ａに対して目標軸力変化量を設定する。
【００４４】
なお、第１摩擦材２０ａに対する鳴き発生条件と第２摩擦材２０ｂに対する鳴き発生条件とが重なる場合、鳴き発生マップＭＮ１に対する３つの判定条件及び鳴き発生マップＭＮ２に対する３つの判定条件を両方とも満たす可能性がある。その場合、第１摩擦材２０ａに対する軸力と第２摩擦材２０ｂに対する軸力の一方を増加させ、他方を減少させることにより、摩擦材２０ａ，２０ｂの軸力が鳴き発生軸力範囲からそれぞれ外れるようにする。また、鳴き発生マップＭＮ１に対する３つの判定の少なくとも１つを満たさない場合かつ鳴き発生マップＭＮ２に対する３つの判定の少なくとも１つを満たさない場合、各摩擦材２０ａ，２０ｂに対する目標軸力変化量を０とする。
【００４５】
そして、鳴き低減部３３では、第１摩擦材２０ａに対する目標軸力変化量から第３ピストン２２ｃ、第６ピストン２２ｆ、第９ピストン２２ｉの目標軸力変化量をそれぞれ設定し、第２摩擦材２０ｂに対する目標軸力変化量から第１ピストン２２ａ、第２ピストン２２ｂ、第４ピストン２２ｄ、第５ピストン２２ｅ、第７ピストン２２ｇ、第８ピストン２２ｈの目標軸力変化量をそれぞれ設定する。鳴き低減部３３では、各ピストン２２ａ〜２２ｉの目標軸力変化量を目標軸力算出部３１に出力する。これにより、第１摩擦材２０ａの鳴き発生条件又は／及び第２摩擦材２０ｂの鳴き発生条件を満たす場合でも、その摩擦材の軸力がその鳴き発生条件から外れるので、ブレーキ鳴きが低減するかあるいは無くなる。
【００４６】
効き安定部３４では、各温度センサ５からの温度信号により摩擦材２０ａ，２０ｂ毎の温度を取り入れる。
【００４７】
効き安定部３４では、第１摩擦材２０ａに対する摩擦係数マップＭＫ１及び第２摩擦材２０ｂに対する摩擦係数マップＭＫ２をＲＯＭに保持している（図５参照）。摩擦材はある温度以上になると摩擦係数が減少するフェード特性を有しており、摩擦材毎にフェード特性が異なる。摩擦係数マップＭＫ１，ＭＫ２は、摩擦材２０ａ，２０ｂ毎に、温度に対する摩擦係数の変化をマップ化したものであり、実験やシミュレーション等によって予め設定したものである。図５には、各摩擦材２０ａ，２０ｂの摩擦係数マップＭＫ１，ＭＫ２の一例を示す。摩擦係数マップＭＫ１では、第１摩擦材２０ａの摩擦係数は全体的に高く、フェードする摩擦係数フェード温度Ｔ１が高温側である。摩擦係数マップＭＫ２では、第２摩擦材２０ｂの摩擦係数は全体的に第１摩擦材２０ａよりも低く、フェードを開始する摩擦係数フェード温度Ｔ２が第１摩擦材２０ａの摩擦係数フェード温度Ｔ１よりも低温側である。また、第１摩擦材２０ａは、第２摩擦材２０ｂより、摩擦係数がフェードする割合が小さく、フェード性能が良好な摩擦材である。
【００４８】
効き安定部３４では、まず、第２摩擦材２０ｂの温度が摩擦係数フェード温度Ｔ２−αより高いか否かを判定し、次に、第１摩擦材２０ａの温度が摩擦係数フェード温度Ｔ１−αより高いか否かを判定する。なお、摩擦係数フェード温度Ｔ１，Ｔ２自体で判定するのではなく、α℃，β℃引いた温度で判定することにより、摩擦係数のフェードが開始する前に、目標軸力を変化させてフェード現象を未然に防止する。例えば、α，βは、数℃〜十数℃程度であり、同じ温度でもよい。
【００４９】
第２摩擦材２０ｂの温度が摩擦係数フェード温度Ｔ２−α以下の場合、効き安定部３４では、各摩擦材２０ａ，２０ｂに対する目標軸力変化量を０とする。
【００５０】
第２摩擦材２０ｂの温度が摩擦係数フェード温度Ｔ２−αより高くかつ第１摩擦材２０ａの温度が摩擦係数フェード温度Ｔ１−α以下の場合、効き安定部３４では、第２摩擦材２０ｂの軸力が基準より減るように（軸力が０になるようにしてよい）、第２摩擦材２０ｂの目標軸力変化量を設定する。さらに、効き安定部３４では、式（１）の条件を満たすように、第１摩擦材２０ａの目標軸力変化量を算出する。この際、効き安定部３４では、第２摩擦材２０ｂに対する軸力を減らした分の軸力が増えるように、第１摩擦材２０ａに対して目標軸力変化量を設定する。
【００５１】
第１摩擦材２０ａの温度が摩擦係数フェード温度Ｔ１−αより高い場合、効き安定部３４では、第１摩擦材２０ａの軸力が基準より減るように（軸力が０になるようにしてよい）、第１摩擦材２０ａの目標軸力変化量を設定する。さらに、効き安定部３４では、式（１）の条件を満たすように、第２摩擦材２０ｂの目標軸力変化量を算出する。この際、効き安定部３４では、第１摩擦材２０ａに対する軸力を減らした分の軸力が増えるように、第２摩擦材２０ｂに対して目標軸力変化量を設定する。
【００５２】
そして、効き安定部３４では、鳴き低減部３３と同様に、摩擦材２０ａ，２０ｂに対する各目標軸力変化量から各ピストン２２ａ〜２２ｉの目標軸力変化量をそれぞれ設定し、設定した各目標軸力変化量を目標軸力算出部３１に出力する。これにより、摩擦材２０ａ，２０ｂのいずれか一方において摩擦係数がフェードする温度になっている場合でも、その摩擦材に対する軸力が減少され、他方の摩擦材に対する軸力が増加されるので、摩擦係数のフェードの影響を抑えることができる。そのため、ブレーキの効きを安定化させることができ、制動力も低下しない。
【００５３】
摩耗抑制部３５では、車速センサ４からの車速信号により車速を取り入れる。また、摩耗抑制部３５では、各温度センサ５からの温度信号により摩擦材２０ａ，２０ｂ毎の温度を取り入れる。
【００５４】
摩耗抑制部３５では、第１摩擦材２０ａに対する摩耗特性マップ及び第２摩擦材２０ｂに対する摩耗特性マップをＲＯＭに保持している（図６参照）。摩擦材は温度と車速に応じて摩耗量が変わり、摩擦材毎に摩耗特性が異なっている。摩耗特性マップは、車速毎に、温度に対する摩耗量の変化をマップ化したものであり、実験やシミュレーション等によって予め設定したものである。図６には、第１摩擦材２０ａの摩耗特性マップＭＭ１の一例を示す。摩耗特性マップＭＭ１は、低速用マップＭＭａ、中速用マップＭＭｂ、高速用マップＭＭｃからなり、各マップに温度に対する摩耗量が設定されている。この設定される摩耗量は、基準の回転速度で回転しているディスクロータに摩擦材を基準軸力で押圧した場合の摩耗量である。
【００５５】
各マップＭＭａ，ＭＭｂ，ＭＭｃにおいて摩耗量が最も多くなる領域（破線の楕円で示される領域）は、各車速において摩耗特性が悪い領域である。摩耗特性マップＭＭ１では、マップＭＭａ，ＭＭｂ，ＭＭｃに対応して摩耗量増加車速範囲が設けられ、マップＭＭａ，ＭＭｂ，ＭＭｃ毎に摩耗特性が悪い領域の温度範囲を示す摩耗量増加温度範囲が設けられる。ちなみに、第２摩擦材２０ｂに対しても同様の摩耗特性マップが設定されるが、第１摩擦材２０ａの摩耗特性マップＭＭ１とは異なったマップとなり、例えば、高温側に摩耗特性が悪い領域がくるようなマップとなる。
【００５６】
摩耗抑制部３５では、第１摩擦材２０ａに対する摩耗特性マップを用いて、車速が第１摩擦材２０ａの摩耗量増加車速範囲内かかつ第１摩擦材２０ａの温度が第１摩擦材２０ａの摩耗量増加温度範囲内かを判定する。さらに、摩耗抑制部３５では、第２摩擦材２０ｂに対する摩耗特性マップを用いて、車速が第２摩擦材２０ｂの摩耗量増加車速範囲内かかつ第２摩擦材２０ｂの温度が第２摩擦材２０ｂの摩耗量増加温度範囲内かを判定する。ここでは、摩耗特性マップは車速毎にマップが設定されているので、その車速毎に設定されたマップに対してそれぞれ上記判定を行う。
【００５７】
第１摩擦材２０ａに対する判定条件のみ満たす場合、摩耗抑制部３５では、第１摩擦材２０ａの軸力が基準より減るように（軸力が０になるようにしてもよい）、第１摩擦材２０ａの目標軸力変化量を設定する。さらに、摩耗抑制部３５では、式（１）の条件を満たすように、第２摩擦材２０ｂの目標軸力変化量を算出する。この際、摩耗抑制部３５では、第１摩擦材２０ａに対する軸力を減らした分の軸力が増えるように、第２摩擦材２０ｂに対して目標軸力変化量を設定する。
【００５８】
第２摩擦材２０ｂに対する判定条件のみ満たす場合、摩耗抑制部３５では、第２摩擦材２０ｂの軸力が基準より減るように（軸力が０になるようにしてもよい）、第２摩擦材２０ｂの目標軸力変化量を設定する。さらに、摩耗抑制部３５では、式（１）の条件を満たすように、第１摩擦材２０ａの目標軸力変化量を算出する。この際、摩耗抑制部３５では、第２摩擦材２０ｂに対する軸力を減らした分の軸力が増えるように、第１摩擦材２０ａに対して目標軸力変化量を設定する。
【００５９】
第１摩擦材２０ａに対する判定条件及び第２摩擦材２０ｂに対する判定条件を共に満たす場合、摩耗抑制部３５ででは、各摩擦材２０ａ，２０ｂの摩耗特性マップから現在の車速と温度における摩耗量をそれぞれ抽出し、各摩擦材２０ａ，２０ｂの摩耗量を比較する。そして、摩耗抑制部３５では、摩耗量の多い摩擦材の軸力が基準より減るように、その摩擦材の目標軸力変化量を設定する。さらに、摩耗抑制部３５では、式（１）の条件を満たすように、摩耗量の少ない摩擦材の目標軸力変化量を算出する。この際、摩耗抑制部３５では、摩耗量の多い摩擦材に対する軸力を減らした分の軸力が増えるように、摩耗量の少ない摩擦材に対して目標軸力変化量を設定する。
【００６０】
第１摩擦材２０ａに対する判定条件及び第２摩擦材２０ｂに対する判定条件を共に満たさなかった場合、摩耗抑制部３５では、各摩擦材２０ａ，２０ｂに対する目標軸力変化量を０とする。
【００６１】
そして、摩耗抑制部３５では、鳴き低減部３３と同様に、摩擦材２０ａ，２０ｂに対する各目標軸力変化量から各ピストン２２ａ〜２２ｉの目標軸力変化量をそれぞれ設定し、設定した各目標軸力変化量を目標軸力算出部３１に出力する。これにより、温度と車速の条件により摩耗量の少ない摩擦材を優先的に用いるので、摩擦材２０ａ，２０ｂの摩耗量を抑えることができる。
【００６２】
図１を参照して、ディスクブレーキ装置１の動作について説明する。特に、鳴き低減部３３における処理については図７のフローチャートに沿って説明し、効き安定部３４における処理については図８のフローチャートに沿って説明し、摩耗抑制部３５における処理については図９のフローチャートに沿って説明する。図７は、図１の鳴き低減部での処理の流れを示すフローチャートである。図８は、図１の効き安定部での処理の流れを示すフローチャートである。図９は、図１の摩耗抑制部での処理の流れを示すフローチャートである。
【００６３】
ドライバがブレーキペダルを操作すると、ディスクブレーキ装置１では、その操作量に応じた制御油圧がブレーキ性能制御装置３に入力される。ブレーキ性能制御装置３では、その制御油圧に基づいて、基準目標軸力を算出する。さらに、ブレーキ性能制御装置３では、車輪毎に、鳴き低減部３３による各ピストン２２ａ〜２２ｉの目標軸力変化量、効き安定部３４による各ピストン２２ａ〜２２ｉの目標軸力変化量、摩耗抑制部３５による各ピストン２２ａ〜２２ｉの目標軸力変化量を基準目標軸力にそれぞれ加味し、各ピストン２２ａ〜２２ｉの目標軸力をそれぞれ算出する。そして、ブレーキ性能制御装置３では、車輪毎に、各ピストン２２ａ〜２２ｉの目標軸力から各ピストン２２ａ〜２２ｉの目標ピストン変位をそれぞれ算出し、その各目標ピストン変位を第１〜第９制御信号として各アクチュエータ２３ａ〜２３ｉにそれぞれ送信する。
【００６４】
各制御信号を受信すると、各アクチュエータ２３ａ〜２３ｉでは、各目標ピストン変位となるように、各ピストン２２ａ〜２２ｉの作動を油圧制御する。この際、各アクチュエータ２３ａ〜２３ｉでは、各軸力センサ６ａ〜６ｉからの軸力信号と各変位センサ７ａ〜７ｉの変位信号に基づいて、各目標ピストン変位となるようにフィードバック制御する。すると、各ピストン２２ａ〜２２ｉでは、各目標ピストン変位になるようにそれぞれ変位し、インナ側のブレーキパッド２０における第１摩擦材２０ａと第２摩擦材２０ｂとを個別に設定した軸力により押圧する。やがて、インナ側のブレーキパッド２０の第１摩擦材２０ａと第２摩擦材２０ｂがディスクロータにそれぞれ接触し、そのブレーキパッド２０がディスクロータを押圧する。さらに、ディスクブレーキ装置１では、キャリパ２がディスクロータからの反力を受けてインナ側に移動し、キャリパ２のアウタ側のブレーキパッドでもディスクロータを押圧し、制動力を発生させる。
【００６５】
この際、鳴き低減部３３では、制御油圧に基づいてブレーキがオンしたと判断すると（Ｓ１０）、車速センサ４からの車速信号に基づいて車速を取得し（Ｓ１１）、各温度センサ５からの温度信号に基づいて各摩擦材２０ａ，２０ｂの温度を取得し（Ｓ１２）、各軸力センサ６ａ〜６ｉからの軸力信号に基づいて各ピストン２２ａ〜２２ｉの軸力を取得する（Ｓ１３）。鳴き低減部３３では、各ピストン２２ａ〜２２ｉの軸力から、第１摩擦材２０ａに対する合計軸力及び第２摩擦材２０ｂに対する合計軸力を算出する。
【００６６】
鳴き低減部３３では、第１摩擦材２０ａの鳴き発生マップを用いて、第１摩擦材２０ａの合計軸力が鳴き発生軸力範囲内か否かを判定し（Ｓ１４）、鳴き発生軸力範囲内でない場合にはＳ１８の処理に移行する。第１摩擦材２０ａの合計軸力が鳴き発生軸力範囲内の場合、鳴き低減部３３では、第１摩擦材２０ａの鳴き発生マップを用いて、車速が鳴き発生車速範囲内か否かを判定し（Ｓ１５）、鳴き発生車速範囲内でない場合にはＳ１８の処理に移行する。車速が鳴き発生車速範囲内の場合、鳴き低減部３３では、第１摩擦材２０ａの鳴き発生マップを用いて、第１摩擦材２０ａの温度が鳴き発生温度範囲内か否かを判定し（Ｓ１６）、鳴き発生温度範囲内でない場合にはＳ１８の処理に移行する。
【００６７】
Ｓ１６にて第１摩擦材２０ａの温度が鳴き発生温度範囲内の場合、鳴き低減部３３では、第１摩擦材２０ａの目標軸力を減少させるとともにその減少させた分を第２摩擦材２０ｂの目標軸力で増加させるように、各摩擦材２０ａ，２０ｂの目標軸力変化量をそれぞれ算出する（Ｓ１７）。
【００６８】
鳴き低減部３３では、第２摩擦材２０ｂの鳴き発生マップを用いて、第２摩擦材２０ｂの合計軸力が鳴き発生軸力範囲内か否かを判定し（Ｓ１８）、鳴き発生軸力範囲内でない場合にはＳ２２の処理に移行する。第２摩擦材２０ｂの合計軸力が鳴き発生軸力範囲内の場合、鳴き低減部３３では、第２摩擦材２０ｂの鳴き発生マップを用いて、車速が鳴き発生車速範囲内か否かを判定し（Ｓ１９）、鳴き発生車速範囲内でない場合にはＳ２２の処理に移行する。車速が鳴き発生車速範囲内の場合、鳴き低減部３３では、第２摩擦材２０ｂの鳴き発生マップを用いて、第２摩擦材２０ｂの温度が鳴き発生温度範囲内か否かを判定し（Ｓ２０）、鳴き発生温度範囲内でない場合にはＳ２２の処理に移行する。
【００６９】
Ｓ２０にて第２摩擦材２０ｂの温度が鳴き発生温度範囲内の場合、鳴き低減部３３では、第２摩擦材２０ｂの目標軸力を減少させるとともにその減少させた分を第１摩擦材２０ａの目標軸力で増加させるように、各摩擦材２０ａ，２０ｂの目標軸力変化量をそれぞれ算出する（Ｓ２１）。
【００７０】
さらに、鳴き低減部３３では、各摩擦材２０ａ，２０ｂの目標軸力変化量から各ピストン２２ａ〜２２ｉの目標軸力変化量をそれぞれ算出した後、制御油圧に基づいてブレーキがオフしたか否かを判断する（Ｓ２２）。そして、鳴き低減部３３では、ブレーキがオフするまでＳ１１〜Ｓ２１の処理を繰り返し実行し、ブレーキがオフすると処理を終了する。ちなみに、各摩擦材２０ａ，２０ｂの目標軸力変化量及び各ピストン２２ａ〜２２ｉの目標軸力変化量をＳ１１の処理の前に０に初期化しており、Ｓ１７の処理とＳ１８の処理の両方の処理が行われない場合には各ピストン２２ａ〜２２ｉの目標軸力変化量は０となっている。
【００７１】
鳴き発生マップにおける鳴き発生条件を満たすような温度、軸力、車速となっている場合、ブレーキ性能制御装置３では、鳴き低減部３３で設定した各ピストン２２ａ〜２２ｉの目標軸力変化量により、各摩擦材２０ａ，２０ｂに対する軸力を変化させる。これにより、鳴き発生条件を満たしていた摩擦材の軸力が鳴き発生条件の鳴き発生軸力範囲から外れ、その摩擦材による鳴きが低減するかあるいは無くなる。この際、一方の摩擦材の軸力の変化量を補うように他方の摩擦材の軸力を変化させるので、ブレーキパッド２０全体としての制動力は低下しない。
【００７２】
また、効き安定部３４では、制御油圧に基づいてブレーキがオンしたと判断すると（Ｓ３０）、各温度センサ５からの温度信号に基づいて各摩擦材２０ａ，２０ｂの温度を取得する（Ｓ３１）。
【００７３】
効き安定部３４では、第２摩擦材２０ｂの摩擦係数マップを用いて、第２摩擦材２０ｂの温度が摩擦係数フェード温度Ｔ２−αより高いか否かを判定し（Ｓ３２）、摩擦係数フェード温度Ｔ２−αより高くない場合にはＳ３６の処理に移行する。第２摩擦材２０ｂの温度が摩擦係数フェード温度Ｔ２−αより高い場合、効き安定部３４では、第１摩擦材２０ａの摩擦係数マップを用いて、第１摩擦材２０ａの温度が摩擦係数フェード温度Ｔ１−βより高いか否かを判定する（Ｓ３３）。
【００７４】
Ｓ３３にて第１摩擦材２０ａの温度が摩擦係数フェード温度Ｔ１−βより高くない場合、効き安定部３４では、第２摩擦材２０ｂの目標軸力を減少させるとともにその減少させた分を第１摩擦材２０ａの目標軸力で増加させるように、各摩擦材２０ａ，２０ｂの目標軸力変化量をそれぞれ算出する（Ｓ３４）。
【００７５】
Ｓ３３にて第１摩擦材２０ａの温度が摩擦係数フェード温度Ｔ１−βより高い場合、効き安定部３４では、第１摩擦材２０ａの目標軸力を減少させるとともにその減少させた分を第２摩擦材２０ｂの目標軸力で増加させるように、各摩擦材２０ａ，２０ｂの目標軸力変化量をそれぞれ算出する（Ｓ３５）。
【００７６】
さらに、効き安定部３４では、各摩擦材２０ａ，２０ｂの目標軸力変化量から各ピストン２２ａ〜２２ｉの目標軸力変化量をそれぞれ算出した後、制御油圧に基づいてブレーキがオフしたか否かを判断する（Ｓ３６）。そして、効き安定部３４では、ブレーキがオフするまでＳ３１〜Ｓ３５の処理を繰り返し実行し、ブレーキがオフすると処理を終了する。ちなみに、鳴き低減部３３と同様に、Ｓ３１の処理の前に目標軸力変化量０を初期化しており、Ｓ３４の処理とＳ３５の処理の両方の処理が行われない場合には各ピストン２２ａ〜２２ｉの目標軸力変化量は０となっている。
【００７７】
摩擦係数マップにおける摩擦係数フェード温度（判定では、α，βを考慮している）より摩擦材の温度が高くなっている場合、ブレーキ性能制御装置３では、効き安定部３４で設定した各ピストン２２ａ〜２２ｉの目標軸力変化量により、各摩擦材２０ａ，２０ｂに対する目標軸力を基準から変化させる。これにより、摩擦係数フェード温度より高い温度になった摩擦材に対する軸力が減少し、その摩擦材における摩擦係数のフェード現象を抑えることができる。この際、他方の摩擦材に対する軸力を増加させるので、ブレーキパッド２０全体としての制動力は低下しない。
【００７８】
また、摩耗抑制部３５では、制御油圧に基づいてブレーキがオンしたと判断すると（Ｓ４０）、車速センサ４からの車速信号に基づいて車速を取得し（Ｓ４１）、各温度センサ５からの温度信号に基づいて各摩擦材２０ａ，２０ｂの温度を取得する（Ｓ４２）。
【００７９】
摩耗抑制部３５では、第１摩擦材２０ａの摩耗特性マップを用いて、車速が摩耗量増加車速範囲内か否かを判定し（Ｓ４３）、摩耗量増加車速範囲内でない場合にはＳ５０の処理に移行する。車速が摩耗量増加車速範囲内の場合、摩耗抑制部３５では、第１摩擦材２０ａの摩耗特性マップを用いて、第１摩擦材２０ａの温度が摩耗量増加温度範囲内か否かを判定し（Ｓ４４）、摩耗量増加温度範囲内でない場合にはＳ５０の処理に移行する。第１摩擦材２０ａの温度が摩耗量増加温度範囲内の場合、摩耗抑制部３５では、第２摩擦材２０ｂの摩耗特性マップを用いて、車速が摩耗量増加車速範囲内か否かを判定する（Ｓ４５）。車速が摩耗量増加車速範囲内の場合、摩耗抑制部３５では、第２摩擦材２０ｂの摩耗特性マップを用いて、第２摩擦材２０ｂの温度が摩耗量増加温度範囲内か否かを判定する（Ｓ４６）。
【００８０】
Ｓ４５にて車速が摩耗量増加車速範囲内でない場合またはＳ４６にて第２摩擦材２０ｂの温度が摩耗量増加温度範囲内でない場合、摩耗抑制部３５では、第１摩擦材２０ａの目標軸力を減少させるとともにその減少させた分を第２摩擦材２０ｂの目標軸力で増加させるように、各摩擦材２０ａ，２０ｂの目標軸力変化量をそれぞれ算出し、Ｓ５３の処理に移行する（Ｓ４７）。
【００８１】
Ｓ４５にて車速が摩耗量増加車速範囲内の場合かつＳ４６にて第２摩擦材２０ｂの温度が摩耗量増加温度範囲内の場合、摩耗抑制部３５では、各摩擦材２０ａ，２０ｂの摩耗特性マップから現在の車速と各摩擦材２０ａ，２０ｂの温度での各摩擦材２０ａ，２０ｂの摩耗量を抽出し、各摩擦材２０ａ，２０ｂの摩耗量を比較する（Ｓ４８）。そして、摩耗抑制部３５では、摩耗量の多い摩擦材の目標軸力を減少させるとともにその減少させた分を摩耗量の少ない摩擦材の目標軸力で増加させるように、各摩擦材２０ａ，２０ｂの目標軸力変化量をそれぞれ算出し、Ｓ５３の処理に移行する（Ｓ４９）。
【００８２】
摩耗抑制部３５では、第２摩擦材２０ｂの摩耗特性マップを用いて、車速が摩耗量増加車速範囲内か否かを判定し（Ｓ５０）、摩耗量増加車速範囲内でない場合にはＳ５３の処理に移行する。車速が摩耗量増加車速範囲内の場合、摩耗抑制部３５では、第２摩擦材２０ｂの摩耗特性マップを用いて、第２摩擦材２０ｂの温度が摩耗量増加温度範囲内か否かを判定し（Ｓ５１）、摩耗量増加温度範囲内でない場合にはＳ５３の処理に移行する。
【００８３】
Ｓ５０にて車速が摩耗量増加車速範囲内の場合かつＳ５１にて第２摩擦材２０ｂの温度が摩耗量増加温度範囲内の場合、摩耗抑制部３５では、第２摩擦材２０ｂの目標軸力を減少させるとともにその減少させた分を第１摩擦材２０ａの目標軸力で増加させるように、各摩擦材２０ａ，２０ｂの目標軸力変化量をそれぞれ算出し、Ｓ５３の処理に移行する（Ｓ５２）。
【００８４】
さらに、摩耗抑制部３５では、各摩擦材２０ａ，２０ｂの目標軸力変化量から各ピストン２２ａ〜２２ｉの目標軸力変化量をそれぞれ算出し、制御油圧に基づいてブレーキがオフしたか否かを判断する（Ｓ５３）。そして、摩耗抑制部３５では、ブレーキがオフするまでＳ４１〜Ｓ５２の処理を繰り返し実行し、ブレーキがオフすると処理を終了する。ちなみに、鳴き低減部３３と同様に、Ｓ４１の処理の前に目標軸力変化量０を初期化しており、Ｓ４７の処理、Ｓ４９の処理とＳ５２の処理の全ての処理が行われない場合には各ピストン２２ａ〜２２ｉの目標軸力変化量は０となっている。
【００８５】
摩耗特性マップにおける摩耗特性が悪化する領域に含まれるような車速、温度となっている場合、ブレーキ性能制御装置３では、摩耗抑制部３５で設定した各ピストン２２ａ〜２２ｉの目標軸力変化量により、各摩擦材２０ａ，２０ｂに対する目標軸力を基準から変化させる。これにより、摩耗特性が悪化する領域に含まれる車速、温度となっている摩擦材に対する軸力が減少し、その摩擦材の摩耗量の増加を抑えることができる。この際、他方の摩擦材に対する軸力を増加させるので、ブレーキパッド２０全体としての制動力は低下しない。
【００８６】
このディスクブレーキ装置１によれば、特性の異なる２つの摩擦材２０ａ，２０ｂに対してそれぞれ独立して軸力を設定することができ、ブレーキ性能を向上させるために各摩擦材２０ａ，２０ｂ（各ピストン２２ａ〜２２ｉ）の軸力を個別に変化させることができる。そのため、ディスクブレーキ装置１では、ブレーキ鳴き、ブレーキ効き、磨耗等のブレーキ性能を高次元でトータルに成立させることができるとともに、ブレーキペダルの操作に応じた制動力を発生させることができる。
【００８７】
特に、ディスクブレーキ装置１では、鳴き発生マップの鳴き発生領域を外すように摩擦材２０ａ，２０ｂに対する軸力を制御することにより、ブレーキ鳴きを低減することができる。また、ディスクブレーキ装置１では、摩擦係数マップの摩擦係数がフェードする温度より摩擦材の温度が高くなるとその摩擦材に対する軸力を減少させるように制御することにより、摩擦係数のフェード現象を抑えることができ、ブレーキ効きが安定化する。また、ディスクブレーキ装置１では、摩耗特性マップの摩耗量が悪化する領域に含まれる摩擦材に対する軸力を減少させるように制御することにより、その摩擦材の摩耗量の増加を抑えることができる。さらに、ディスクブレーキ装置では、各摩擦材２０ａ，２０ｂのうちの一方の軸力を変化させる場合には他方の摩擦材によりその軸力の変化量を補うように制御しているので、ブレーキパッド２０全体としての制動力を保持でき、制動力が低下しない。
【００８８】
以上、本発明に係る実施の形態について説明したが、本発明は上記実施の形態に限定されることなく様々な形態で実施される。
【００８９】
例えば、本実施の形態ではディスクブレーキ装置を自動車に適用したが、自動車二輪車等のディスクブレーキ装置を搭載する他のものにも適用可能である。
【００９０】
また、本実施の形態ではディスクロータの一面側のブレーキパッドを押圧するピストンのみを備える構成としたが、ディスクロータの一面側のブレーキパッドと他面側のブレーキパッドをそれぞれ押圧するピストンを備える構成としてもよい。
【００９１】
また、本実施の形態では摩擦係数が異なる第１摩擦材と第２摩擦材を備える構成としたが、他の特性が異なる摩擦材を用いてもよいし、あるいは、摩擦材の個数、配置、形状等も適宜構成してよい。
【００９２】
また、本実施の形態では１つのブレーキパッドに対して３×３の９つのピストンを備える構成としたが、ブレーキパッドの形状や大きさ、ピストン半径及び摩擦材の個数、配置、形状等を考慮し、ピストンの個数や配置を適宜設定してよい。
【００９３】
また、本実施の形態では鳴き低減部、効き安定部、摩耗抑制部を有し、各処理部で目標軸力変化量を設定する構成としたが、この３つの処理部を全て有するのではなく、２つの処理部あるいは１つの処理部のみを有する構成としてもよい。また、振動抑制等のこれら以外のブレーキ性能を向上させるための目標軸力変化量を設定する処理部を有する構成としてもよい。
【００９４】
また、本実施の形態では目標制動力としてドライバのブレーキペダルの操作量（制御油圧）としたが、車両にＡＢＳ、車間制御等のブレーキを車両側で制御するためのシステムが搭載されている場合にはそのシステムからの制御信号も目標制動力としてもよい。
【００９５】
また、本実施の形態では温度センサによって摩擦材の温度を検出する構成としたが、ＧＰＳによる車両の位置情報や車速情報を用いて制動エネルギから摩擦材の温度を推定するようにしてもよい。
【００９６】
また、本実施の形態では鳴き発生マップ、摩擦係数マップ、摩耗特性マップをＲＯＭに保持する構成としたが、通信ネットワーク等から受信する構成としてもよいし、あるいは、鳴き、摩擦係数、摩耗量等を検知する検知手段を車両に備え、鳴き、摩擦係数、摩耗量等を検知手段で検知したときの車速、温度、軸力からマップを更新していく構成でもよい。
【図面の簡単な説明】
【００９７】
【図１】本実施の形態に係るディスクブレーキ装置の制御部分の構成図である。
【図２】本実施の形態に係るディスクブレーキ装置のピストン及びブレーキパッドの構成の一例を示す図であり、（ａ）が側面図であり、（ｂ）が正面図である。
【図３】本実施の形態に係るディスクブレーキ装置のピストン及びブレーキパッドの構成の他の例を示す図であり、（ａ）が側面図であり、（ｂ）が正面図である。
【図４】図１の鳴き低減部で保持する鳴き発生マップの一例であり、（ａ）が第１摩擦材に対する鳴き発生マップであり、（ｂ）が第２摩擦材に対する鳴き発生マップである。
【図５】図１の効き安定部で保持する摩擦係数マップの一例である。
【図６】図１の摩耗抑制部で保持する摩耗特性マップの一例である。
【図７】図１の鳴き低減部での処理の流れを示すフローチャートである。
【図８】図１の効き安定部での処理の流れを示すフローチャートである。
【図９】図１の摩耗抑制部での処理の流れを示すフローチャートである。
【符号の説明】
【００９８】
１…ディスクブレーキ装置、２…キャリパ、３…ブレーキ性能制御装置、４…車速センサ、５…温度センサ、６ａ〜６ｉ…第１〜第９軸力センサ、７ａ〜７ｉ…第１〜第９変位センサ、２０…ブレーキパッド、２０ａ…第１摩擦材、２０ｂ…第２摩擦材、２０ｃ…裏金、２２ａ〜２２ｉ…第１〜第９ピストン、２３ａ〜２３ｉ…第１〜第９アクチュエータ、３０…基準目標軸力算出部、３１…目標軸力算出部、３２…目標ピストン変位算出部、３３…鳴き低減部、３４…効き安定部、３５…摩耗抑制部
【図１】
2005319913.tif 000004
【図２】
2005319913.tif 000005
【図３】
2005319913.tif 000006
【図４】
2005319913.tif 000007
【図５】
2005319913.tif 000008
【図６】
2005319913.tif 000009
【図７】
2005319913.tif 000010
【図８】
2005319913.tif 000011
【図９】
2005319913.tif 000012